【手続補正書】
【提出日】平成16年4月12日(2004.4.12)
【手続補正１】
【補正対象書類名】明細書
【補正対象項目名】００１９
【補正方法】変更
【補正の内容】
【００１９】
続いて、ＰＣ１０と各画像表示装置１１，１２，１３間の通信方式について説明する。先ず、ＰＣ１０のＤＤＣによるＥＤＩＤの取得方法は従来の通信方式と同じであり、ＰＣ１０と画像表示装置１１間のデータの受け渡しは、ＰＣ１０の管理・制御手段１０１と画像表示装置１１の入力側データ送受信手段１１１によるＤＤＣを用いた通信手順に従って行われ、管理・制御手段１０１は装置情報記憶保持手段１１２に記憶されているＥＤＩＤを取得する。ＰＣ１０の管理・制御手段１０１によって取得されたＥＤＩＤは、前述の手順で各画像表示装置１１，１２，１３から抽出して記憶されたＥＤＩＤであるので、ＰＣ１０は、マルチモニタ環境下の共通ＥＤＩＤとして情報を取得することになる。


【手続補正２】
【補正対象書類名】明細書
【補正対象項目名】００２１
【補正方法】変更
【補正の内容】
【００２１】
図２（ｂ）の処理手順に沿ってＥＤＩＤの取得過程を簡単に説明すると、画像表示装置１３は、出力側に画像表示装置が接続されていないのでＥＤＩＤの取得データはなく、ＥＤＩＤの変更なしとして自己のＥＤＩＤを画像表示装置１２へ送出する（ステップＳ１）。画像表示装置１２は、画像表示装置１３から取得したＥＤＩＤと自己のＥＤＩＤとを比較して共通のＥＤＩＤを抽出し、画像表示装置１２と画像表示装置１３の共通のＥＤＩＤを共通ＥＤＩＤとして画像表示装置１１へ送出する（ステップＳ２）。画像表示装置１１は、画像表示装置１２から取得したＥＤＩＤと自己のＥＤＩＤとを比較して共通のＥＤＩＤを抽出し、画像表示装置１１、画像表示装置１２、および画像表示装置１３の共通ＥＤＩＤとしてＰＣ１０へ送出する（ステップＳ３）。これによって、ＰＣ１０は、取得したＥＤＩＤを、画像表示装置１１、画像表示装置１２、および画像表示装置１３の共通ＥＤＩＤとして認識し、このマルチモニタ環境下に最適な解像度、リフレッシュレートの信号を画像表示装置１１へ出力する（ステップＳ４）。


【手続補正３】
【補正対象書類名】明細書
【補正対象項目名】００２９
【補正方法】変更
【補正の内容】
【００２９】
図４は、図１に示す画像表示システムが装置制御に関するコマンド解析処理を行う場合の説明図であり、（ａ）はＰＣと複数の画像表示装置の接続図、（ｂ）はデータ設定のＤＤＣ−ＣＩコマンドの流れを示す図、（ｃ）はデータ取得のＤＤＣ−ＣＩコマンドの流れを示す図である。つまり、この図は、第１の実施の形態において、画像表示システムが装置番号の付加されたＤＤＣ−ＣＩコマンドの解析処理を行う例として示したものである。


【手続補正４】
【補正対象書類名】明細書
【補正対象項目名】００３９
【補正方法】変更
【補正の内容】
【００３９】
画像信号入力端子６２は、インデックス信号が画像信号の一部を置き換えて付加された画像信号と、この画像信号に同期した垂直および水平の各同期信号とを複合化信号として入力される。画像信号出力端子６３は、画像信号入力手段６２に入力された画像信号の一部を画像表示システムから外部へ出力する。画像信号受信手段６０は、複数の画像フレームよりなる画像信号、この画像信号に対応する同期信号、および画像信号の任意の画像フレームに画像信号の一部を置き換えて付加されたインデックス信号を含む複合化信号を受信し、受信した複合化信号より画像信号、同期信号、及び複合化信号を分離して出力する。画像信号出力手段６１は、画像信号受信手段６０へ入力される画像信号の一部を外部へ出力する。


【手続補正５】
【補正対象書類名】明細書
【補正対象項目名】００４５
【補正方法】変更
【補正の内容】
【００４５】
第４の実施の形態
図７は、本発明の第４の実施の形態における画像表示システムの構成とその動作の流れを示す図である。つまり、この図は、本発明に適用された通信方式を用いた画像表示システムと動作の流れを概略的に示している。ＤＤＣによるＥＤＩＤデータの読み込み手段と、ＤＤＣ−ＣＩと呼ばれる画像表示装置制御手段を備えたＰＣ７０が、本発明に適用された通信方式を備える画像表示装置７１，７２、７３を直列に接続している。また、７Ａ，７Ｂ、７Ｃは、画像表示装置７３の接続なし／電源ＯＦＦ／電源ＯＮといった各状態の監視状態を示した図である。


【手続補正６】
【補正対象書類名】明細書
【補正対象項目名】００５０
【補正方法】変更
【補正の内容】
【００５０】
第５の実施の形態
図８は、本発明の第５の実施の形態における画像表示システムの構成とその動作の流れを示す図であり、（ａ）はインデックス番号設定前の画像表示システムの接続構成図、（ｂ）はインデックス番号設定手順を示すフロー図、（ｃ）はインデックス番号設定後の画像表示システムの接続構成図を示す。つまり、この図は、特開２０００−３５２９６２号公報に示す画像表示システムに、本発明の通信方式を付加した画像表示システムとその動作の流れを概略的に示している。


【手続補正７】
【補正対象書類名】明細書
【補正対象項目名】００５４
【補正方法】変更
【補正の内容】
【００５４】
ここで、インデックス番号を自動で設定するために、先ず、ＰＣ８０から、インデックス信号を用いたインデックス番号自動設定コマンドが各画像表示装置８１，８２…８ｎへ送信される（ステップＳ５１）。これによって、ｎ台の画像表示装置８１，８２…８ｎはインデックス番号自動設定コマンドを受信するが、ｎ台の中でＰＣ８０に最も近い場所で接続されている画像表示装置８１がインデックス番号１を取得して設定し、さらに、ＤＤＣを用いて、画像表示装置８２に対してインデックス番号２を設定するコマンドを送信する（ステップＳ５２）。なお、画像表示装置８１自身がＰＣ８０に最も近い所で接続された画像表示装置であるか否かについては、上記の各実施の形態で述べたように、本発明の画像表示装置は相互の通信手段を持っているため、画像表示装置の入力側に画像表示装置間のみで行われる通信データが来なかったり、各画像表示装置が出力側に何台接続されているかを調べることなどによって判断することができる。


【手続補正８】
【補正対象書類名】明細書
【補正対象項目名】００６０
【補正方法】変更
【補正の内容】
【００６０】
また、本発明の画像表示システムによれば、上述のような動作により、各画像表示装置の接続状態や電源ＯＦＦ／ＯＮ状態を把握することができるため、ＰＣは、画像表示装置の台数を管理する手段を備えたり、何らかの障害で画像表示装置が電源ＯＦＦされたり、接続中に切断されたりといったトラブルをユーザへ通知することができるため、より使い易いマルチモニタ環境の画像表示システムを提供することができる。


【手続補正９】
【補正対象書類名】明細書
【補正対象項目名】図面の簡単な説明
【補正方法】変更
【補正の内容】
【図面の簡単な説明】
【図１】本発明の第１の実施の形態における画像表示システムの構成を示すブロック図である。
【図２】図１に示す画像表示システムが行うＥＤＩＤの処理の流れを示す説明図であり、（ａ）はＰＣと複数の画像表示装置の接続図、（ｂ）はＥＤＩＤの取得手順を示す図である。
【図３】図１に示す画像表示システムにおける装置制御に関するコマンド解析処理の流れを示すフローチャートである。
【図４】図１に示す画像表示システムが装置制御に関するコマンド解析処理を行う場合の説明図であり、（ａ）はＰＣと複数の画像表示装置の接続図、（ｂ）はデータ設定のＤＤＣ−ＣＩコマンドの流れを示す図、（ｃ）はデータ取得のＤＤＣ−ＣＩコマンドの流れを示す図である。
【図５】本発明の第２の実施の形態における画像表示システムの装置制御の手順を示す図であり、（ａ）は画像表示システムの接続状態を示す図、（ｂ）は各画像表示装置の電源ＯＦＦの処理の流れを示す図である。
【図６】本発明の第３の実施の形態における画像表示システムの構成を示すブロック図である。
【図７】本発明の第４の実施の形態における画像表示システムの構成とその動作の流れを示す図である。
【図８】本発明の第５の実施の形態における画像表示システムの構成とその動作の流れを示す図であり、（ａ）はインデックス番号設定前の画像表示システムの接続構成図、（ｂ）はインデックス番号設定手順を示すフロー図、（ｃ）はインデックス番号設定後の画像表示システムの接続構成図を示す。
【符号の説明】
１０，５０，７０，８０…ＰＣ、１１，１２，１３，５１，５２〜５ｎ，７１，７２，７３，８１，８２〜８０ｎ…画像表示装置、１０１…管理・制御手段、１１１，１２１，１３１…入力側データ送受信手段、１１２，１２２，１３２…装置情報記憶保持手段、１１３，１２３，１３３…ＭＰＵ判定処理手段、１１４，１２４，１３４…ＭＰＵ用記憶保持手段、１１５，１２５，１３５…出力側データ送受信手段、６２…画像信号入力端子、６３…画像信号出力端子、６０…画像信号受信手段、６１…画像信号出力手段、６４…インデックス判別手段、６５…インデックス判定手段、６６…画像表示装置番号設定手段、６７…フレーム選択手段、６８…画像記憶手段、６９…画像表示手段、６Ａ…制御情報判定手段、６Ｂ…装置制御手段、６Ｃ…入力側通信手段、６Ｄ…出力側通信手段。


【手続補正１０】
【補正対象書類名】図面
【補正対象項目名】図４
【補正方法】変更
【補正の内容】
【図４】
2004102027.tif 000001